(57)【特許請求の範囲】
【請求項１】
車両イベントデータ処理システムであって、
車両イベントデータ情報管理システムと、
前記車両イベントデータ情報管理システムと通信する複数の車両イベントデータ記憶システムと、を備え、前記車両イベントデータ記憶システムの各々は、
少なくとも１つのコントローラと、
前記少なくとも１つのコントローラに結合されるように構成された少なくとも１つのメモリ装置と、を備え、前記少なくとも１つのコントローラが、
車両に関するイベントデータを受け取り、
前記イベントデータの少なくとも幾つかを前記メモリ装置に記憶し、
前記イベントデータの少なくとも幾つかを装置に表示するために通信し、
前記車両イベントデータ情報管理システムは、
１つ以上の車両に関する１日より長い時間期間にわたる前記イベントデータを受け取り、
前記受け取ったイベントデータによって示された複数のイベントのそれぞれのイベントと関連付けられた特定の車両、特定のユーザ及び特定の携帯型電気エネルギー貯蔵装置を識別し、
前記特定の車両、前記特定のユーザ及び前記特定の携帯型電気エネルギー貯蔵装置の要求された１つに関する情報の要求を受け取り、
前記要求に応じて、前記特定の車両、前記特定のユーザ及び前記特定の携帯型電気エネルギー貯蔵装置の要求された１つと関連付けられた前記受け取ったイベントデータによって示された前記複数のイベントのそれぞれのイベントを提供するように構成されている、車両イベントデータ処理システム。
【請求項２】
前記少なくとも１つのメモリ装置が、携帯型電気エネルギー貯蔵装置が前記車両内に作動可能に配置されたときに前記少なくとも１つのコントローラに結合されるように構成されている、請求項１に記載の車両イベントデータ処理システム。
【請求項３】
前記少なくとも１つのコントローラが、前記電気エネルギー貯蔵装置に取り付けられている、請求項２に記載の車両イベントデータ処理システム。
【請求項４】
前記装置が、モバイル装置である、請求項１に記載の車両イベントデータ処理システム。
【請求項５】
前記装置が、車両のダッシュボードディスプレイである、請求項１に記載の車両イベントデータ処理システム。
【請求項６】
前記少なくとも１つのコントローラが、更に、前記車両の車両イベント検出システムから前記車両に関する前記イベントデータを受け取るように構成されている、請求項１に記載の車両イベントデータ処理システム。
【請求項７】
前記少なくとも１つのコントローラが、更に、前記車両イベント検出システムから前記車両に関する前記イベントデータを無線で受信するように構成されている、請求項６に記載の車両イベントデータ処理システム。
【請求項８】
前記少なくとも１つのメモリ装置が、前記少なくとも１つのコントローラに無線で結合されるように構成されている、請求項１に記載の車両イベントデータ処理システム。
【請求項９】
前記少なくとも１つのコントローラが、更に、前記少なくとも１つのメモリ装置に記憶された前記少なくとも幾つかのイベントデータを外部装置に提供することを可能にするように構成されている、請求項１に記載の車両イベントデータ処理システム。
【請求項１０】
前記少なくとも１つのコントローラが、モバイル装置の少なくとも１つのコントローラ構成要素である、請求項１に記載の車両イベントデータ処理システム。
【請求項１１】
前記少なくとも１つのコントローラが、更に、前記少なくとも１つのメモリ装置に記憶された前記少なくとも幾つかのイベントデータを、前記外部装置に対して、前記外部装置への有線接続を介して提供することを可能にするように構成されている、請求項９に記載の車両イベントデータ処理システム。
【請求項１２】
前記装置が、携帯型電気エネルギー貯蔵装置の収集・充電及び分配装置である、請求項９に記載の車両イベントデータ処理システム。
【請求項１３】
前記少なくとも１つのメモリ装置に結合された無線通信モジュールを更に含み、前記無線通信モジュールが、前記少なくとも１つのメモリ装置に記憶された前記少なくとも幾つかのイベントデータを外部装置に無線で提供することを可能にするように構成されている、請求項１に記載の車両イベントデータ処理システム。
【請求項１４】
前記イベントデータが、前記車両が関係する事故、前記車両が関係する緊急事態、前記車両の破損、前記車両の破局故障、傾斜センサからの信号、温度センサからの信号、重力センサからの信号、加速度計からの信号、衝撃センサからの信号、危険運転挙動、及び１つ以上のタイプの運転挙動の１つ以上に関する少なくとも幾つかの情報を含む、請求項１に記載の車両イベントデータ処理システム。
【請求項１５】
前記少なくとも１つのコントローラが、前記イベントデータの少なくとも幾つかを前記コントローラを含む装置のディスプレイに通信することによって、前記装置に表示するために前記イベントデータの少なくとも幾つかを通信する、請求項１に記載の車両イベントデータ処理システム。
【請求項１６】
車両イベントデータ処理システムにおける方法であって、
車両イベントデータシステムのプロセッサによって、１つ以上の車両に関する１日より長い時間期間にわたる車両イベントデータを受け取るステップと、
前記車両イベントデータシステムのプロセッサによって、前記受け取った車両イベントデータによって示された複数のイベントのそれぞれのイベントと関連付けられた特定の車両、特定のユーザ及び特定の携帯型電気エネルギー貯蔵装置を識別するステップと、
前記特定の車両、前記特定のユーザ及び前記特定の携帯型電気エネルギー貯蔵装置の要求された１つに関する情報の要求を受け取るステップと、
前記要求に応じて、車両イベントデータシステムのプロセッサによって、前記特定車両、前記特定のユーザ及び前記特定の携帯型電気エネルギー貯蔵装置の要求された１つと関連付けられた前記受け取った車両イベントデータによって示された前記複数のイベントのそれぞれのイベントを提供するステップとを含む、方法。
【請求項１７】
前記車両イベントデータシステムのプロセッサによって、前記受け取った車両イベントデータによって示された前記複数のイベントのそれぞれのイベントと関連付けられた特定の車両、特定のユーザ及び特定の携帯型電気エネルギー貯蔵装置の前記識別に基づいて、前記複数のイベントのそれぞれのイベントと関連付けられた前記特定の車両、前記特定のユーザ及び前記特定の携帯型電気エネルギー貯蔵装置の１つ以上に関する安全問題のパターンを検出するステップを更に含む、請求項１６に記載の方法。
【請求項１８】
前記車両イベントデータシステムのプロセッサによって、前記複数のイベントのそれぞれのイベントと関連付けられた前記特定の車両、前記特定のユーザ及び前記特定の携帯型電気エネルギー貯蔵装置の１つ以上に関する前記検出された安全問題のパターンに関する情報をリモート装置に通信するステップを更に含む、請求項１６に記載の方法。
【請求項１９】
前記車両のインフィールド診断を支援するために選択可能なパラメータと共に前記車両による特定タイプのデータの収集の要求を受け取るステップと、
前記要求に応じて、前記選択可能なパラメータにしたがって前記特定のタイプのデータを提供するステップと、を更に含む、請求項１６に記載の方法。
【請求項２０】
前記リモート装置が、前記特定のユーザのモバイル装置である、請求項１６に記載の方法。
【請求項２１】
前記検出された安全問題のパターンが、更に、前記特定の携帯型電気エネルギー貯蔵装置に関するものであり、更に、前記車両イベントデータシステムのプロセッサによって、前記携帯型電気エネルギー貯蔵装置に関する前記検出された安全問題のパターンに基づいて、収集・充電及び分配装置に対する前記特定の携帯型電気エネルギー貯蔵装置の分配に関して行う変更を決定するステップを更に含む、請求項１６に記載の方法。
【請求項２２】
実行されたとき、車両イベントデータシステムのプロセッサに、
１つ以上の車両に関する１日より長い時間期間にわたる車両イベントデータを受け取らせ、
前記受け取った車両イベントデータによって示された複数のイベントのそれぞれのイベントと関連付けられた特定の車両、特定のユーザ及び特定の携帯型電気エネルギー貯蔵装置を識別させ、
前記特定の車両、前記特定のユーザ及び前記特定の携帯型電気エネルギー貯蔵装置の要求された１つに関する情報の要求を受け取らせ、
前記要求に応じて、前記特定車両、前記特定のユーザ及び前記特定の携帯型電気エネルギー貯蔵装置の要求された１つと関連付けられた前記受け取った車両イベントデータによって示された前記複数のイベントのそれぞれのイベントを提供させる、コンピュータ実行命令を有する、非一時的コンピュータ可読記憶媒体。
【発明の詳細な説明】
【技術分野】
【０００１】
本開示は、例えば輸送用途や非輸送用途などの様々な分野又は用途での使用に適することがある、一般にはデータの提供に関し、より詳細には車両イベントデータの提供に関する。
【背景技術】
【０００２】
携帯型電力貯蔵装置には様々な用途又は応用例がある。
【０００３】
そのような１つの用途は、輸送の分野である。ハイブリッド及び完全電気車両は、ますます一般的になっている。そのような車両は、従来の内燃機関車両より優れた幾つかの利点を実現することがある。例えば、ハイブリッド又は電気車両は、より高い燃料経済性を達成し、排気ガスがほとんどない。詳細には、完全電気車両は、排気管汚染がないだけでなく、全体汚染の低さと関連することがある。例えば、電力は、再生可能電源（例えば、太陽電池や水力）から生成される。また、例えば、電力は、空気汚染を生じない発電所（例えば、原子力発電所）で生成されることがある。また、例えば、電力は、比較的「クリーンに燃焼する」燃料（例えば、天然ガス）を燃やす発電所で生成され、この発電所は、内燃機関より効率が高く、かつ／又は個人車両で使用するには大き過ぎ、コストが高過ぎ、又は高価過ぎる汚染制御又は除去システム（例えば、産業用空気スクラバ）を使用する。
【０００４】
燃焼エンジン式スクータやモータバイクなどの個人用輸送車両は、多くの場所、例えばアジアの多くの大都市のどこにでもある。そのようなスクータ及び／又はモータバイクは、特に自動車、車両又はトラックより安価な傾向がある。また、多数の内燃機関スクータ及び／又はモータバイクがある都市は、きわめて人口密度が高く、また高度な空気汚染を受けやすい。多くの内燃機関スクータ及び／又はモータバイクは、新しいとき、個人輸送の比較的低い汚染源を提供する。例えば、そのようなスクータ及び／又はモータバイクは、大型車両よりも高い燃費を有することがある。更に、幾つかのスクータ及び／又はモータバイクは、基本的な汚染制御機器（例えば、触媒コンバータ）を装備していることもある。残念ながら、工場で規定された排気レベルは、スクータ及び／又はモータバイクが使用されたときにすぐに超過され、またスクータ及び／又はモータバイクが、例えば触媒コンバータの意図的又は非意図的な取り外しによって改造されたときに維持されない。スクータ及び／又はモータバイクの所有者又は運転者には、自分の車両を保守する財源や動機が欠けていることが多い。
【０００５】
空気汚染は、様々な疾病の発生及び悪化と関連した人間の健康に悪影響を及ぼす（例えば、多数の報告書は、空気汚染を肺気腫、喘息、肺炎、嚢胞性繊維症及び様々な心血管疾患と結び付けている）。そのような疾病は、多数の生命を奪い、無数の人の生活の質を極度に低下させる。
【発明の概要】
【課題を解決するための手段】
【０００６】
車両イベントデータ処理システムは、少なくとも１つのコントローラと、少なくとも１つのコントローラに結合されるように構成された少なくとも１つのメモリ装置とを含むように要約されうる。少なくとも１つのコントローラは、車両に関するイベントデータを受け取り、イベントデータの少なくとも一部分をメモリ装置に記憶することがある。少なくとも１つのコントローラは、装置に表示するためにイベントデータの少なくとも幾つかを通信してもよい。携帯型電気エネルギー貯蔵装置が、車両内に機能的に配置されたときに、少なくとも１つのメモリ装置が、少なくとも１つのコントローラに結合されるように構成されてもよい。少なくとも１つのコントローラは、電気エネルギー貯蔵装置に取り付けられてもよい。装置は、例えば、モバイル装置又は車両のダッシュボードディスプレイでもよい。
【０００７】
更に、少なくとも１つのコントローラは、車両の車両イベント検出システムから車両に関するイベントデータを受け取るように構成されてもよい。更に、少なくとも１つのコントローラは、車両イベント検出システムから車両に関するイベントデータを無線で受信するように構成されてもよい。少なくとも１つのメモリ装置は、少なくとも１つのコントローラに無線で結合されるように構成されてもよい。少なくとも１つのコントローラは、更に、少なくとも１つのメモリ装置に記憶された少なくとも幾つかのイベントデータを外部装置に提供することを可能にするように構成されてもよい。少なくとも１つのコントローラは、モバイル装置の少なくとも１つのコントローラ構成要素でよい。少なくとも１つのコントローラは、外部装置から送信された無線信号によって認証に関する情報を受信してもよい。装置は、携帯型電気エネルギー貯蔵装置の収集・充電及び分配装置である。
【０００８】
車両イベントデータ処理システムは、更に、少なくとも１つのメモリ装置に結合された無線通信モジュールを含んでもよい。無線通信モジュールは、少なくとも１つのメモリ装置に記憶された少なくとも幾つかのイベントデータを外部装置に無線で提供することを可能にするように構成されてもよい。イベントデータは、車両が関係する事故、車両が関係する緊急事態、車両の破損、車両の破局故障、傾斜センサからの信号、重力センサからの信号、加速度計からの信号、衝撃センサからの信号、車両又は車両構成要素の温度、車両のバッテリの温度、車両のモータの温度、車両の電子部品の温度、温度センサからの信号又は情報、バッテリ温度センサからのデータ、信号又は情報、危険温度レベル、１つ以上のしきい値温度より高いか低い温度レベル、危険運転挙動、及び１つ以上の運転挙動タイプなどの１つ以上に関する少なくとも幾つかの情報を含んでもよい。
【０００９】
車両イベントデータ処理システムは、少なくとも１つのコントローラと、少なくとも１つのコントローラに結合されるように構成された少なくとも１つのメモリ装置を含むように要約されてもよく、少なくとも１つのコントローラは、車両に関するイベントデータを受け取り、イベントデータの少なくとも幾つかをメモリ装置に記憶し、イベントデータの少なくとも幾つかを装置に表示するために通信してもよい。
【００１０】
携帯型電気エネルギー貯蔵装置が、車両内に機能的に配置されたときに、少なくとも１つのメモリ装置が、少なくとも１つのコントローラに結合されるように構成されてもよい。少なくとも１つのコントローラは、電気エネルギー貯蔵装置に取り付けられてもよい。装置は、モバイル装置でもよい。装置は、車両のダッシュボードディスプレイでもよい。更に、少なくとも１つのコントローラは、車両の車両イベント検出システムから車両に関するイベントデータを受け取るように構成されてもよい。更に、少なくとも１つのコントローラは、車両イベント検出システムから車両に関するイベントデータを無線で受信するように構成されてもよい。少なくとも１つのメモリ装置は、少なくとも１つのコントローラに無線で結合されるように構成されてもよい。少なくとも１つのコントローラは、更に、少なくとも１つのメモリ装置に記憶された少なくとも幾つかのイベントデータを外部装置に提供することを可能にするように構成されてもよい。少なくとも１つのコントローラは、モバイル装置の少なくとも１つのコントローラ構成要素でよい。少なくとも１つのコントローラは、更に、少なくとも１つのメモリ装置に記憶された少なくとも幾つかのイベントデータを、外部装置への有線接続を介して、外部装置に提供することを可能にするように構成されてもよい。装置は、携帯型電気エネルギー貯蔵装置の収集・充電及び分配装置でよい。
【００１１】
車両イベントデータ処理システムは、更に、少なくとも１つのメモリ装置に結合された無線通信モジュールを更に含んでもよく、無線通信モジュールは、少なくとも１つのメモリ装置に記憶された少なくとも幾つかのイベントデータを外部装置に無線で提供することを可能にするように構成されてもよい。
【００１２】
イベントデータは、車両が関係する事故、車両が関係する緊急事態、車両の破損、車両の破局故障、傾斜センサからの信号、重力センサからの信号、加速度計からの信号、衝撃センサからの信号、危険運転挙動、車両又は車両構成要素の温度、車両のバッテリの温度、車両のモータの温度、車両の電子部品の温度、温度センサからのデータ、信号又は情報、バッテリ温度センサからのデータ、信号又は情報、危険温度レベル、１つ以上のしきい値温度より高いか低い温度レベル、及び１つ以上の運転挙動タイプの１つ以上に関する少なくとも幾つかの情報を含んでもよい。少なくとも１つのコントローラは、イベントデータの少なくとも幾つかをコントローラを含む装置のディスプレイに通信することによって、装置に表示するためにイベントデータの少なくとも幾つかを通信してもよい。
【００１３】
車両イベントデータ処理システムにおける方法は、車両イベントデータシステムのプロセッサによって、１台以上の車両に関する１日より長い時間期間の車両イベントデータを電子的に受け取る段階と、車両イベントデータシステムのプロセッサによって、受け取ったイベントデータによって示された複数のイベントのそれぞれのイベントと関連付けられた特定の車両、特定のユーザ及び特定の携帯型電気エネルギー貯蔵装置を電子的に識別する段階と、特定の車両、特定のユーザ及び特定の携帯型電気エネルギー貯蔵装置のうちの要求された１つに関する情報の要求を電子的に受け取る段階と、要求に応じて、車両イベントデータシステムのプロセッサによって、特定の車両、特定のユーザ及び特定の携帯型電気エネルギー貯蔵装置の要求された１つと関連付けられた受け取ったイベントデータによって示される複数のイベントのそれぞれのイベントを電子的に提供する段階を含むように要約されうる。
【００１４】
車両イベントデータ処理システムにおける方法は、更に、車両イベントデータシステムのプロセッサによって、受け取ったイベントデータによって示された複数のイベントのそれぞれのイベントと関連付けられた特定車両、特定のユーザ及び特定の携帯型電気エネルギー貯蔵装置の識別に基づいて、複数のイベントのそれぞれのイベントと関連付けられた特定車両、特定のユーザ及び特定の携帯型電気エネルギー貯蔵装置の１つ以上に関する安全問題のパターンを電子的に検出する段階を含んでもよい。
【００１５】
車両イベントデータ処理システムにおける方法は、更に、車両イベントデータシステムのプロセッサによって、複数のイベントのそれぞれのイベントと関連付けられた特定車両、特定のユーザ及び特定の携帯型電気エネルギー貯蔵装置の１つ以上に関する検出された安全問題のパターンに関する情報をリモート装置に電子的に通信する段階を含んでもよい。
【００１６】
車両イベントデータ処理システムにおける方法は、更に、車両のインフィールド診断を支援する選択可能なパラメータと共に車両による特定タイプのデータの収集の要求を受け取る段階と、要求に応じて、選択可能なパラメータによって特定タイプのデータを提供する段階とを含んでもよい。
【００１７】
リモート装置は、特定のユーザのモバイル装置でもよい。検出された安全問題のパターンは、更に、特定の携帯型電気エネルギー貯蔵装置に関するものでよく、方法は、更に、車両イベントデータシステムのプロセッサによって、携帯型電気エネルギー貯蔵装置に関する安全問題の検出パターンに基づき、収集・充電及び分配装置に対する特定の携帯型電気エネルギー貯蔵装置の分配に関して行う変更を電子的に決定する段階を更に含んでもよい。
【００１８】
非一時的コンピュータ可読記憶媒体は、実行されたとき、車両イベントデータシステムのプロセッサに、電気車両内の携帯型電気エネルギー貯蔵装置に対する衝撃を示すセンサからのイベントデータを受け取らせ、イベントデータの少なくとも幾つかを、携帯型電気エネルギー貯蔵装置のメモリ装置と車両のメモリ装置の１つ以上に記憶させ、装置に表示するためにイベントデータの少なくとも幾つかを通信させるコンピュータ実行命令を有するように要約されてもよい。
【００１９】
非一時的コンピュータ可読記憶媒体はさらに、実行されたとき、車両イベントデータシステムのプロセッサに、電気車両に関する１日より長い時間期間にわたる車両イベントデータを電子的に受け取らせ、時間期間にわたって受け取った電気車両に関する車両イベントデータによって示された複数のイベントのそれぞれのイベントと関連付けられた特定のユーザと特定の携帯型電気エネルギー貯蔵装置を電子的に識別させ、複数のイベントのそれぞれのイベントと関連付けられた特定のユーザと特定の携帯型電気エネルギー貯蔵装置の識別に関する情報をリモート装置に提供させるコンピュータ実行命令を有してもよい。
【００２０】
図面では、同一の参照番号は、類似の要素又は行為を示す。図面内の要素のサイズ及び相対位置は、必ずしも一律の倍率で描かれていない。例えば、様々な要素の形状及び角度は、一律の倍率で描かれておらず、そのような要素の幾つかは、図面の可読性を改善するために任意に拡大されている。更に、描かれたような要素の特定形状は、特定要素の実際形状に関するいかなる情報を伝えるものでなく、単に図面内で認識を容易にするように選択された。
【図面の簡単な説明】
【００２１】
【図１】１つの非限定的な示された実施形態による、収集・充電及び分配装置を、幾つかの携帯型電気エネルギー貯蔵装置、電気スクータ又はモータバイク、並びに送電網を介して提供される電気設備と共に示す概略図である。
【図２】１つの非限定的な示された実施形態による図１の収集・充電及び分配装置のブロック図である。
【図３Ａ】１つの非限定的な示された実施形態による、システム内の図１のような収集・充電及び分配装置を示す車両イベントデータを提供するためのシステムのブロック図である。
【図３Ｂ】１つの非限定的な示された実施形態による、図１の携帯型電気エネルギー貯蔵装置のブロック図である。
【図４Ａ】１つの非限定的な示された実施形態による、車両イベント検出システムに結合された図３Ｂの車両イベントデータ記憶システムの概略図である。
【図４Ｂ】１つの非限定的な示された実施形態による、図３Ａの車両イベントデータ情報管理システム及び／又は図３Ｂと図４Ａの車両イベントデータ記憶システムから受け取った車両イベントデータに関する、ユーザインタフェース画面に表示された例示的な情報の説明図である。
【図５】１つの非限定的な示された実施形態による、図３と図４Ａの車両イベントデータを提供するシステムを動作させる方法を示す流れ図である。
【図６】図５の方法に役立つデータを外部装置に提供することを可能にする段階を含む、１つの非限定的な示された実施形態による、図３Ａの車両イベントデータ情報管理システムを動作させる方法を示す流れ図である。
【図７】１つの非限定的な示された実施形態による、電気車両内の携帯型電気エネルギー貯蔵装置への衝撃を示すセンサからのイベントデータを通信する方法を示す流れ図である。
【発明を実施するための形態】
【００２２】
以下の説明では、様々な開示された実施形態の完全な理解を提供するために、幾つかの特定の具体的な詳細が説明される。しかしながら、当業者は、実施形態が、１つ以上のそのような特定の詳細なしに、又は他の方法、構成要素、材料などにより実施されうることを理解するであろう。他の例では、実施形態の記述を無駄に不明瞭にするのを回避するために、販売装置、バッテリ、スーパーキャパシタ、ウルトラキャパシタ、変圧器、整流器、ＤＣ／ＤＣ電力変換器、スイッチモード電力変換器を含むがこれらに限定されない電力変換器、コントローラ、並びに通信システム、構造及びネットワークと関連した周知の構造は、詳細に図示されず説明されない。
【００２３】
文脈で特に必要とされない限り、以下の明細と特許請求の範囲全体にわたって、言葉「comprise」及び「comprises」や「comprising」などのその変形は、「including, but not limited to」という開かれた包括的意味に解釈されるべきである。
【００２４】
本明細書全体にわたって「one embodiment」又は「an embodiment」の参照は、実施形態に関して述べられた特定の特徴、構造又は特性が、少なくとも１つの実施形態に含まれることを意味する。したがって、本明細書全体にわたる様々な場所にある語句「in one embodiment」又は「in an embodiment」の使用は、必ずしも全て同じ実施形態を指すとは限らない。
【００２５】
第１、第２、第３などの序数の使用は、必ずしも順序の格付けを意味せず、単に行為又は構造の複数の例を区別するだけである。
【００２６】
携帯型電力貯蔵装置に関する言及は、電力を貯蔵及び貯蔵電力を放出可能な任意の装置（バッテリ、スーパーキャパシタ又はウルトラキャパシタを含むがこれらに限定されない）を意味する。バッテリに関する言及は、例えば、ゲル鉛蓄電池、吸収ガラスマット鉛蓄電池、ニッケルーカドミウム合金電池、ニッケル亜鉛電池、ニッケル水素電池又はリチウムイオン電池を含むがこれに限定されない、再充電可能又は二次電池などの化学的蓄電池を意味する。
【００２７】
本明細書に示された見出しと開示の要約は、単に便宜のためであり、実施形態の範囲や意味を解釈しない。
【００２８】
図１は、１つの示された実施形態による収集・充電及び分配装置１０２を含む環境１００を示す。
【００２９】
収集・充電及び分配装置１０２は、自動販売機又はキオスクの形態をとることがある。収集・充電及び分配装置１０２は、収集、充電及び分配のために携帯型電気エネルギー貯蔵装置（例えば、バッテリ、スーパーキャパシタ又はウルトラキャパシタ）１０６ａ〜１０６ｎ（集合的に１０６）を取り外し可能に収容する複数のレシーバ、隔室又はレセプタクル１０４ａ、１０４ｂ〜１０４ｎ（図１には３つだけ示した。集合的に１０４）を有する。図１に示されたように、レシーバ１０４の幾つかは中空であり、他のレシーバ１０４は、携帯型電気エネルギー貯蔵装置１０６を保持している。図１は、１台のレシーバ１０４につき単一の携帯型電気エネルギー貯蔵装置１０６を示すが、幾つかの実施形態では、各レシーバ１０４が、２台以上の携帯型電気エネルギー貯蔵装置１０６を保持してもよい。例えば、レシーバ１０４はそれぞれ、３つの携帯型電気エネルギー貯蔵装置１０６を収容するのに十分な深さでよい。したがって、例えば、図１に示された収集・充電及び分配装置１０２は、４０、８０又は１２０台の携帯型電気エネルギー貯蔵装置１０６を同時に保持できる能力を有することがある。
【００３０】
携帯型電気エネルギー貯蔵装置１０６は、様々な形態、例えばバッテリ（例えば、バッテリセルのアレイ）、スーパーキャパシタ、ウルトラキャパシタ（例えば、ウルトラキャパシタセルのアレイ）でよい。例えば、携帯型電気エネルギー貯蔵装置１０６ｚは、充電式バッテリ（即ち、二次電池又はバッテリ）の形態をとってもよい。携帯型電気エネルギー貯蔵装置１０６ｚは、例えば、完全電気スクータ又はモータバイク１０８などの個人用輸送車両に物理的に適合し電力供給するようにサイズが決められてもよい。前述したように、内燃機関スクータ及びモータバイクは、例えばアジア、ヨーロッパ及び中東の多くの大都市で一般的である。都市又は地方の至る所で充電バッテリを便利に利用できると、内燃機関スクータ及びモータバイクの代わりに完全電気スクータ及びモータバイク１０８を使用可能となり、それにより、空気汚染が緩和され騒音が減少する。
【００３１】
携帯型電気エネルギー貯蔵装置１０６（携帯型電気エネルギー貯蔵装置１０６ｚだけを見ることが可能）は、携帯型電気エネルギー貯蔵装置１０６ｚの外部からアクセス可能な幾つかの電気端子１１０ａ、１１０ｂ（２つを示した。集合的に１１０）を含みうる。電気端子１１０は、電荷を携帯型電気エネルギー貯蔵装置１０６ｚから送出することを可能にし、また携帯型電気エネルギー貯蔵装置１０６ｚを充放電するために電荷を携帯型電気エネルギー貯蔵装置１０６ｚに送出することを可能にする。図１には柱として示されているが、電気端子１１０は、バッテリハウジングのスロット内に位置決めされた電気端子を含む携帯型電気エネルギー貯蔵装置１０６ｚの外部からアクセス可能な任意の他の形態をとってもよい。携帯型電気エネルギー貯蔵装置１０６が、公衆に貸与、賃貸契約、及び／又は賃貸されることがあるので、携帯型電気エネルギー貯蔵装置１０６ｚが現在使用されている車両のユーザに、車両イベントデータを、例えば、ユーザのモバイル装置に表示するため、又はユーザが収集・充電及び分配装置１０２にある携帯型電気エネルギー貯蔵装置１０６ｚを交換するか降ろすときに、提供することが望ましい。車両イベントデータを提供するためのシステム及び方法は、図２〜図７に関して後でより詳しく述べられ、本明細書に記載された携帯型電気エネルギー貯蔵装置１０６を収集、充電及び分配するためのシステム全体に有用である。
【００３２】
収集・充電及び分配装置１０２は、収集・充電及び分配装置１０２が様々なエンドユーザによって便利かつ容易にアクセス可能な幾つかの場所１１２に位置決めされる。場所は、様々な形態、例えばコンビニエンスストア、スーパーマーケット、ガス又はガソリンスタンド、サービスショップなどの小売業環境でもよい。あるいは、収集・充電及び分配装置１０２は、例えば公園や他の公共場所内の既存の小売業や他の事業と関連付けられていない場所１１２でスタンドアロンでもよい。したがって、例えば、収集・充電及び分配装置１０２は、都市や地域全体にわたるコンビニエンスストアチェーンの各店に配置されてもよい。そのような装置は、有利には、コンビニエンスストアが、標的集団又は人口統計に対する利便性に基づいて設置又は分散されるという事実に基づくことがある。そのような装置は、都市又は地域内で収集・充電及び分配装置１０２の広範囲のネットワークを迅速に展開させるために、店先又は他の小売場所での既存の賃貸契約に依存すると有利なことがある。標的集団に供給するために地理的に適切に分散された大きなネットワークを迅速に達成することによって、そのようなシステムに依存する能力と、そのような取り組みの有望な商業的成功が強化される。
【００３３】
場所１１２は、例えば送電網１１６によって発電所（図示せず）から電力を受け取る電気設備１１４を含むことがある。電気設備１１４には、例えば、電気サービスメータ１１４ａ、回路パネル（例えば、回路遮断器パネル又はヒューズボックス）１１４ｂ、配線１１４ｃ及び電気コンセント１１４ｄのうちの１つ以上が含まれうる。場所１１２が既存の小売店又はコンビニエンスストアの場合、電気設備１１４は、既存の電気設備のことがあり、したがって、定格がある程度制限されることがある（例えば、１２０ボルト、２４０ボルト、２２０ボルト、２３０ボルト、１５アンペア）。
【００３４】
小売場所１１２のオペレータも、収集・充電及び分配装置１０２の所有者、販売者又はオペレータも、電気設備１１４を改良するコストを負担したくないことがある。更に、エンドユーザが使用可能な携帯型電気エネルギー貯蔵装置１０６の適切な供給を維持するためには迅速な充電が望ましい。必要に応じて、収集・充電及び分配装置１０２は、再生可能電源を含むかそれに結合されてもよい。例えば、野外に設置された場合、収集・充電及び分配装置１０２は、日射から電力を生成する光起電力（ＰＶ）電池１１８のアレイを含むことがある。あるいは、収集・充電及び分配装置１０２は、例えば屋根上の場所１１２のどこかに位置決めされるかポール（図示せず）の上端に取り付けられたマイクロタービン（例えば、風力タービン）又はＰＶアレイに電気的に結合されてもよい。
【００３５】
収集・充電及び分配装置１０２は、バックエンド又はバックオフィスシステム（１つだけ示した）１２０などの１つ以上のリモート配置されたコンピュータシステムに通信で結合されてもよい。バックエンド又はバックオフィスシステム１２０は、都市などの地域のまわりに分散された複数の収集・充電及び分配装置１０２からデータを収集しかつ／又は装置１０２を制御してもよい。通信は、１つ以上のネットワーク１２２又は非ネットワーク接続通信チャネルを含む１つ以上の通信チャネルを介して行われてもよい。通信は、１つ以上の有線通信チャネル（例えば、撚線対線、光ファイバ）、無線通信チャネル（例えば、高周波、マイクロ波、衛星、８０１．１１準拠）を介して行われてもよい。ネットワーク接続された通信チャネルは、１つ以上のローカルエリアネットワーク（ＬＡＮ）、広域ネットワーク（ＷＡＮ）、エクストラネット、イントラネット又はインターネットのワールドワイドウェブ部分を含むインターネットを含んでもよい。
【００３６】
収集・充電及び分配装置１０２は、ユーザインタフェース１２４を含んでもよい。ユーザインタフェースは、エンドユーザが収集・充電及び分配装置１０２と対話することを可能にする様々な入出力（Ｉ／Ｏ）装置を含んでもよい。種々の入出力装置は、以下に図２に関して列挙され説明される。
【００３７】
図２は、１つの示された実施形態による図１の収集・充電及び分配装置１０２を示す。
【００３８】
収集・充電及び分配装置１０２は、制御サブシステム２０２、充電サブシステム２０４、通信サブシステム２０６及びユーザインタフェースサブシステム２０８を含む。
【００３９】
制御サブシステム２０２は、コントローラ２１０、例えば、マイクロプロセッサ、マイクロコントローラ、プログラマブルロジックコントローラ（ＰＬＣ）、プログラマブルゲートアレイ（ＰＧＡ）、特定用途向け集積回路（ＡＳＩＣ）、又は様々なセンサから信号を受信し、論理演算を実行し、信号を様々な構成要素に送信可能な別のコントローラを含む。典型的には、コントローラ２１０は、マイクロプロセッサ（例えば、ＩＮＴＥＬ  ＡＴＯＭ又はＡＲＭ  Ｍ３）の形態をとってもよい。制御サブシステム２０２は、また、１つ以上の非一時的プロセッサ又はコンピュータ可読記憶媒体、例えば、読み出し専用メモリ（ＲＯＭ）２１２、ランダムアクセスメモリ（ＲＡＭ）２１４、データストア２１６（例えば、フラッシュメモリやＥＥＰＲＯＭなどのソリッドステート記憶媒体、ハードディスクなどの回転記憶媒体）を含んでもよい。非一時的プロセッサ又はコンピュータ可読記憶媒体２１２、２１４、２１６は、コントローラ２１０の一部である任意の非一時的記憶媒体（例えば、レジスタ）に追加されてもよい。例えば、制御サブシステム２０２は、様々な構成要素を結合する１つ以上のバス２１８（１つだけ示した）、例えば、１つ以上の電力バス、命令バス、データバスなどを含んでもよい。
【００４０】
図示されたように、ＲＯＭ２１２、又は非一時的プロセッサ若しくはコンピュータ可読記憶媒体２１２、２１４、２１６の幾つかの他のものは、命令及び／あるいは変数又はパラメータのデータ又は値を記憶する。データセットは、様々な形態（例えば、ルックアップ表、データベース内の１組のレコードなど）を取ってもよい。命令とデータ又は値のセットとは、コントローラ１１０によって実行可能である。命令とデータ又は値のセットとの実行によって、コントローラ１１０は、収集・充電及び分配装置１０２に携帯型エネルギー蓄積装置を収集、充電、分配させる特定の操作を実行する。収集・充電及び分配装置１０２の特定の操作は、本明細書では、外部装置が携帯型電気エネルギー貯蔵装置１０６から受け取った車両イベントデータに基づいて携帯型電気エネルギー貯蔵装置１０６を充電し情報を提供する文脈で、様々な流れ図（図５〜図７）を参照して後述される。
【００４１】
コントローラ２１０は、命令やデータなどの非持久記憶のために、ＲＡＭ２１４を従来の方法で使用してもよい。コントローラ２１０は、データストア２１６を使用して、情報（例えば、携帯型電気エネルギー貯蔵装置１０６から受け取った車両イベントデータ）と、携帯型電力記憶装置１０６の収集、充電及び／又は分配又は収集、並びに／又は収集・充電及び分配装置１０２自体の動作と関連した遠隔測定情報とをログ記録又は保持してもよい。命令は、コントローラ２１０によって、エンドユーザ又はオペレータ入力に応じて、変数又はパラメータのデータ又は値を使用して収集・充電及び分配装置１０２の動作を制御するために実行可能である。
【００４２】
制御サブシステム２０２は、収集・充電及び分配装置１０２の様々なセンサ及び／又は他の構成要素から、他のそのような構成要素の動作、状態又は状況を特徴付けるかその動作、状態又は状況を示す情報を含む信号を受け取る。センサは、図２では、丸の中に適切な下付き文字と共に表された文字Ｓによって表わされる。
【００４３】
例えば、１つ以上の位置センサＳＰ１〜ＳＰＮは、受器１０４のそれぞれにおける携帯型電力貯蔵装置１０６の有無を検出してもよい。位置センサＳＰ１〜ＳＰＮは、様々な形態をとってもよい。例えば、位置センサＳＰ１〜ＳＰＮは、携帯型電力貯蔵装置１０６が受器１０４に挿入されたときにそれぞれの携帯型電力貯蔵装置１０６の一部分との接触、又は携帯型電力貯蔵装置１０６のメモリ装置との接触に応じて閉じられるか若しくは開かれる機械スイッチの形態をとってもよい。例えば、位置センサＳＰ１〜ＳＰＮは、携帯型電力貯蔵装置１０６が受器１０４に挿入されたときにそれぞれの携帯型電力貯蔵装置１０６の一部分との接触に応じて閉じられるか開かれる光スイッチ（例えば光源及び受器）の形態をとってもよい。また、例えば、位置センサＳＰ１〜ＳＰＮは、携帯型電力貯蔵装置１０６が受器１０４に挿入されたときにそれぞれの携帯型電力貯蔵装置１０６の端子１１０との接触によって作り出される閉回路状態、又はそれぞれの携帯型電力貯蔵装置１０６が受器１０４内にないことにより起こる開回路状態を検出したときに閉じられるか開かれる電気センサ又はスイッチの形態を取ってもよい。これらの例は、非限定的であり、受器内の携帯型電力貯蔵装置１０６の有無又は挿入を検出するための他の任意の構造及び装置が使用されうることに注意されたい。
【００４４】
例えば、１つ以上の充電センサＳＣ１〜ＳＣＮは、受器１０４のそれぞれにおける携帯型電力貯蔵装置１０６の充電を検出してもよい。充電センサＳＣ１〜ＳＣＮは、携帯型電力貯蔵装置１０６によって蓄えられた電荷量を検出してもよい。充電センサＳＣ１〜ＳＣＮは、更に、受器１０４のそれぞれにおける携帯型電力貯蔵装置１０６の１つに供給される電荷の量及び／又は充電率を検出してもよい。充電センサＳＣ１〜ＳＣＮは、各携帯型電力貯蔵装置１０６の現在の（即ち、一時的な）充電状態又は状況の評価を可能にし、更に充電率の制御を含む、携帯型電力貯蔵装置１０６の充電のフィードバック制御を可能にしてもよい。充電センサＳＣ１〜ＳＣＮは、任意の種類の電流及び／又は電圧センサを含んでもよい。
【００４５】
例えば、１つ以上の充電センサＳＴ１（１つだけ示された）は、受器１０４又は周囲環境における温度を検出又は感知してもよい。
【００４６】
制御サブシステム２０２は、制御信号に応じて様々なアクチュエータ及び／又は他の構成要素に信号を提供し、この信号は、構成要素が実行する動作又は構成要素がなるべき状況又は状態を特徴付けるか示す情報を含む。制御信号、アクチュエータ又は制御信号に応じた他の構成要素は、図２に、丸の中に適切な下付文字と共に表された文字Ｃによって表わされる。
【００４７】
例えば、１つ以上のエンジン制御信号ＣＡ１〜ＣＡＮは、１つ以上のアクチュエータ２２０（１つだけ示した）の動作に影響を及ぼすことがある。例えば、制御信号ＣＡ１は、アクチュエータ２２０を第１と第２の位置の間で移動させるか、アクチュエータ２２０によって生成される磁界を変化させることがある。アクチュエータ２２０は、ソレノイド、ステッピングモータなどの電動機又は電磁石を含むがこれらに限定されない様々な任意の形態をとってもよい。アクチュエータ２２０は、ラッチ、ロック又は他の保持機構２２２を動作させるように結合されてもよい。ラッチ、ロック又は他の保持機構２２２は、１つ以上の携帯型電力貯蔵装置１０６（図１）を受器１０４（図１）内に選択的に固定しかつ／又は収容してもよい。例えば、ラッチ、ロック又は他の保持器機構２２２は、携帯型電力貯蔵装置１０６（図１）のハウジングの一部分である補助構造（complimentary structure）に物理的に結合してもよい。あるいは、ラッチ、ロック又は他の保持機構２２２は、携帯型電力貯蔵装置１０６（図１）のハウジングの一部分である補助構造に磁気的に結合してもよい。また例えば、ラッチ、ロック又は他の機構は、受器１０４（図１）を開いてもよく、受器１０４を開いて、部分的又は完全に放電された携帯型電力貯蔵装置１０６を充電するために収容してもよい。例えば、アクチュエータは、収容された携帯型電力貯蔵装置１０６（図１）に対するアクセスを選択的に提供するために受器１０４（図１）への扉を開きかつ／又は閉じてもよい。また例えば、アクチュエータは、ラッチ又はロックを開きかつ／又は閉じて、収容された携帯型電力貯蔵装置１０６（図１）へのアクセスを選択的に提供するために、エンドユーザが、受器１０４（図１）への扉を開きかつ／又は閉じることを可能にする。
【００４８】
制御サブシステム２０２は、充電サブシステム２０６の１つ以上のポート２２４ｂに制御信号を提供する１つ以上のポート２２４ａを備えてもよい。ポート２２４ａ，２２４ｂは、双方向通信を提供してもよい。制御サブシステム２０２は、ユーザインタフェースサブシステム２０８の１つ以上のポート２２６ｂに制御信号を提供する１つ以上のポート２２６ａを備えてもよい。ポート２２６ａ，２２６ｂは、双方向通信を提供してもよい。
【００４９】
充電サブシステム２０４は、受器１０４内に位置決め又は収容されたときに携帯型電力貯蔵装置１０６を充電する様々な電気及び電子部品を含む。例えば、充電サブシステム２０４には、１つ以上の電力バス又は電力バスバー、リレー、接触器又は他のスイッチ（例えば、絶縁ゲートバイポーラトランジスタ又はＩＧＢＴ、金属酸化物半導体トランジスタ又はＭＯＳＦＥＴ）、整流器ブリッジ、電流センサ、地絡回路などが含まれうる。電力は、様々な任意の形態（例えば、端子、リード、ポストなど）を取りうる接点を介して供給される。接点は、様々な構成要素の電気結合を可能にする。幾つかの可能な実施態様を図２に示す。そのような実施形態は、網羅的なものではない。追加の構成要素が使用されてもよく、他の構成要素が省略されてもよい。
【００５０】
図示した充電サブシステム２０４は、配線又はコード２３２を介して電気設備１１４（図１）から電力を受け取る第１の電力変換器２３０を含む。電力は、典型的には、単相、二相又は三相交流電力の形でよい。したがって、第１の電力変換器２３０は、例えば、交流波形を直流に整流し、電圧、電流、位相を変換し、更に遷移と雑音を低減するために、電気設備１１４（図１）を介して受け取った電力を変換し他の方法で調整しなければならないことがある。したがって、第１の電力変換器２３０は、変圧器２３４、整流器２３６、ＤＣ／ＤＣ電力変換器２３８及びフィルタ２４０を含むことがある。
【００５１】
変圧器２３４は、電気設備１１４を介して受け取った電力を処理するための適切な定格を有する様々な市販変圧器の任意の形態をとりうる（図１）。幾つかの実施形態は、複数の変圧器を使用してもよい。変圧器２３４は、有利には、収集・充電及び分配装置１０２の構成要素と送電網１１６との間のガルバニック分離を提供してもよい（図１）。整流器２３６は、任意の様々な形態（例えば、フルブリッジダイオード整流器又はスイッチモード整流器）を取ってもよい。整流器２３６は、交流電力を直流電力に変換するように操作されてもよい。ＤＣ／ＤＣ電力変換器２３８は、任意の様々な形態でよい。例えば、ＤＣ／ＤＣ電力変換器２３８は、スイッチモードＤＣ／ＤＣ電力変換器（例えば、ハーフ又はフルブリッジ構成のＩＧＢＴ又はＭＯＳＦＥＴを使用する）の形態を取ってもよく、１つ以上のインダクタを含んでもよい。ＤＣ／ＤＣ電力変換器２３８は、ブーストコンバータ、バックコンバータ、同期バックコンバータ、バックブーストコンバータ又はフライバックコンバータを含む任意数のトポロジーを有してもよい。フィルタ２４０は、電圧スパイクを抑制するか過渡現象及び／又は雑音を除去又は低減する１つ以上のキャパシタ、抵抗器、ツェナーダイオード又は他の素子を含んでもよい。
【００５２】
図示された充電サブシステム２０４は、再生可能電源（例えば、ＰＶアレイ１１８、図１）から電力を受け取ってもよい。そのような電力は、第１の電力変換器２３０によって変換又は調整されてもよく、例えば、変圧器２３６及び／又は整流器２３６を回避して、ＤＣ／ＤＣ電力変換器２３８に直接供給されてもよい。あるいは、図示された充電サブシステム２０４は、そのような電力を変換又は他の方法で調整する専用電力変換器を含んでもよい。
【００５３】
示された充電サブシステム２０４は、必要に応じて、携帯型電力貯蔵装置１０６の他のものを充電するために、１つ以上の携帯型電力貯蔵装置１０６（図１）から１つ以上の配線２４４を介して電力を受け取る第２の電力変換器２４２を含んでもよい。したがって、第２の電力変換器２４２は、例えば必要に応じて電圧又は電流を変換し、過渡現象と雑音を削減するために、携帯型電力貯蔵装置１０６から受け取った電力を変換しかつ／又は他の方法で調整しなければならないことがある。したがって、第２の電力変換器２４２は、必要に応じて、ＤＣ／ＤＣ電力変換器２４６及び／又はフィルタ２４８を含むことがある。以上、種々のタイプのＤＣ／ＤＣ電力変換器及びフィルタについて述べた。
【００５４】
示した充電サブシステム２０４は、制御サブシステム２０２からポート２２４ａ，２２４ｂを介して提供された制御信号に応答する複数のスイッチ２５０を含む。スイッチは、第１の電力変換器２３０を介して両電気設備によって供給される電力と、第２の数又は組の携帯型電力貯蔵装置１０６によって供給される電力から充電される第１の数又は組の携帯型電力貯蔵装置１０６を選択的に結合する働きをしてもよい。第１の数又は組の携帯型電力貯蔵装置１０６は、単一の携帯型電力貯蔵装置１０６、２台又はそれを超える携帯型電力貯蔵装置１０６を含んでもよい。第２の数又は組の携帯型電力貯蔵装置１０６は、単一の携帯型電力貯蔵装置１０６、２台又はそれを超える携帯型電力貯蔵装置１０６を含んでもよい。携帯型電力貯蔵装置１０６は、図２では負荷Ｌ１、Ｌ２〜ＬＮとして表わされている。
【００５５】
通信サブシステム２０６は、更に、バックエンド又はバックオフィスシステム１２０（図１）の様々な構成要素及び／又は携帯型電力貯蔵装置１０６の様々な構成要素との通信を容易にする１つ以上の通信モジュール又は構成要素を含んでもよい。通信サブシステム２０６は、例えば、１つ以上のモデム２５２あるいは１つ以上のイーサネット又は他のタイプの通信カード若しくは構成要素２５４を含んでもよい。制御サブシステム２０２のポート２５６ａは、制御サブシステム２０２を通信サブシステム２０６のポート２５６ｂと通信で結合してもよい。通信サブシステム２０６は、有線及び／又は無線通信を提供してもよい。例えば、通信サブシステム２０６は、携帯型電力エネルギー貯蔵装置１０６を含む収集・充電及び分配装置１０２の外部の様々な他の装置と、短距離（例えば、Ｂｌｕｅｔｏｏｔｈ、近距離無線通信（ＮＦＣ）、無線周波数識別（ＲＦＩＤ）構成要素及びプロトコル）又はより長距離の無線通信（例えば、無線ＬＡＮ、衛星又はセルラーネットワークを介した）を可能にする構成要素を提供してもよい。通信サブシステム２０６は、様々なリモート構成要素又はシステムへの無線信号経路を提供するために１つ以上のポート、無線受信器、無線トランスミッタ又は無線トランシーバを含んでもよい。リモート通信サブシステム２０６は、パケット交換通信プロトコル（ＴＣＰ／ＩＰ）、イーサネット又は他のネットワークプロトコルを含むネットワークトラフィックを処理するのに適した１つ以上のブリッジ又はルータを含んでもよい。
【００５６】
ユーザインタフェースシステム２０８は、１つ以上のユーザ入出力（Ｉ／Ｏ）構成要素を含む。例えば、ユーザインタフェースシステム２０８は、情報及びグラフィカルユーザインタフェース（ＧＵＩ）をエンドユーザに提示し、ユーザ選択の指示を受け取るように動作可能なタッチスクリーンディスプレイ２０８ａを含んでもよい。ユーザインタフェースシステム２０８は、キーボード又はキーパッド２０８ｂ、及び／又はエンドユーザがＧＵＩで情報を入力しかつ／又はユーザ選択可能アイコンを選択することを可能にするカーソルコントローラ（例えば、マウス、トラックボール、トラックパッド）（図示せず）を含んでもよい。ユーザインタフェースシステム２０８は、聴覚メッセージをエンドユーザに提供するスピーカ２０８ｃ及び／又は音声指示などの音声ユーザ入力を受け取るマイクロフォン２０８ｄを備えていてもよい。
【００５７】
ユーザインタフェースシステム２０８は、カードタイプ媒体２０９から情報を読み取るカードリーダ２０８ｅを備えてもよい。カードリーダ２０８ｅは、様々な形態をとってもよい。例えば、カードリーダ２０８ｅは、カード２０９に保持された磁気ストライプで符号化された情報を読み取るための磁気ストライプリーダの形態でもよくそれを含んでもよい。例えば、カードリーダ２０８ｅは、カード２０９によって保持された機械読取り可能な記号で符号化された情報を読み取るための機械読取り可能な記号（例えば、バーコード、マトリクスコード）カードリーダの形態でもよくそれを含んでもよい。例えば、カードリーダ２０８ｅは、カード２０９によって収容された持続性媒体に記録された情報を読み取るためのスマートカードリーダの形態でもよくそれを含んでもよい。そのようなカードリーダには、例えば、無線周波数識別（ＲＦＩＤ）トランスポンダ又は電子支払チップ（例えば、近距離無線通信（ＮＦＣ）チップ）を使用する媒体が含まれる。したがって、カードリーダ２０８ｅは、様々なカード媒体２０９（例えば、クレジットカード、デビットカード、ギフトカード、プリペイドカード）、並びに運転免許証などの識別媒体から情報を読み取りうる。カードリーダ２０８ｅは、また、携帯型電気エネルギー貯蔵装置１０６によって保持された持続性媒体内に符号化された情報を読み取ることもでき、携帯型電気エネルギー貯蔵装置１０６に情報を通信するＲＦＩＤトランスポンダ、トランシーバ、ＮＦＣチップは及び／又は他の通信装置を含んでもよい（例えば、携帯型電気エネルギー貯蔵装置１０６の認証及び／又は携帯型電気エネルギー貯蔵装置１０６に対する収集・充電及び分配装置１０２の認証のため）。
【００５８】
ユーザインタフェースシステム２０８は、現金支払いを受け入れて検証する紙幣アクセプタ２０８ｆ及びバリデータ、及び／又はコインアクセプタ２０８ｇを含んでもよい。そのようなユーザインタフェースシステムは、信用を利用する機会のない人々にサービスを提供する際にとても役立つことがある。紙幣アクセプタ及びバリデータ２０８ｆ並びに／又はコインアクセプタ２０８ｇは、任意の様々な形態、例えば、現在市販されており様々な自動販売機及びキオスクで使用されている形態をとってもよい。
【００５９】
図３Ａは、１つの非限定的な示された実施形態による、システム内の図１のような収集・充電及び分配装置３０８ａ〜３０８ｄを示す車両イベントデータを提供するシステムのブロック図である。
【００６０】
例えばモバイル装置３１３などのモバイル装置を介して車両イベントデータを提供する車両データ情報管理システム３０２が示される。例えば、車両データ情報管理システム３０２は、車両が関係する事故、車両が関係する緊急事態、車両の破損、車両の破局故障、傾斜（傾倒）センサからの信号、重力センサからの信号、加速度計からの信号、衝撃センサからの信号、車両又は車両構成要素の温度、車両のバッテリの温度、車両のモータの温度、車両の電子部品の温度、温度センサからのデータ、信号又は情報、バッテリ温度センサからのデータ、信号又は情報、危険温度レベル、１つ以上のしきい値温度より高いか低い温度レベル、危険運転挙動、及び１つ以上の運転挙動タイプなどの１つ以上に関する情報を提供してもよい。そのようなセンサは、車両（例えば、車両３１０ａ）の携帯型電気エネルギー貯蔵装置又は車両内の他の場所に配置されるか取り付けられてもよい。この情報は、そのようなセンサによって生成された後で、例示的な収集・充電及び分配装置３０８ａ、３０８ｂ、３０８ｃ及び３０８ｄ、モバイル装置３１３自体、車両データ情報管理システム３０２、及び／又は車両（例えば、電気スクータ３１０ａ又は３１０ｂ）を含む、図３に示された物品の１つ又は任意の組み合わせに通信されかつ／又はそれらから受け取ってもよい。
【００６１】
これは、電気スクータ３１０ａ又は３１０ｂの携帯型電気エネルギー貯蔵装置に取り付けられたメモリモジュールから受け取った情報を含んでもよい（図３Ｂを参照）。これは、また、車両３１０ａ又は３１０ｂに取り付けられたメモリモジュール（例えば、車両イベントデータと場合によっては他の情報を記憶するか記憶するように構成された、車両３１０ａ又は３１０ｂのサブシステム又は制御システムのメモリモジュールなど）から受け取った情報を含んでもよい。例えば、これは、車両が関係する事故、車両が関係する緊急事態、車両の破損、車両の破局故障、傾斜センサからの信号、重力センサからの信号、加速度計からの信号、衝撃センサからの信号、車両又は車両構成要素の温度、車両のバッテリの温度、車両のモータの温度、車両の電子部品の温度、温度センサからのデータ、信号又は情報、バッテリ温度センサからのデータ、信号又は情報、危険温度レベル、１つ以上のしきい値温度より高いか低い温度レベル、危険運転挙動、及び１つ以上の運転挙動タイプなどの１つ以上に関する少なくとも何らかの情報を記憶するか記憶するように構成された任意のメモリモジュールから受け取るかそのメモリモジュールに記憶された情報を含んでもよい。
【００６２】
この情報は、前述のそのようなメモリモジュールから直接受け取ってもよく間接的に受け取ってもよい。例えば、この情報は、車両３１０ａの１つ以上のシステムから、電気スクータ３１０ａの携帯型電気エネルギー貯蔵装置に取り付けられたメモリモジュール及び／又は前述のような他のメモリモジュールが受け取ってもよい（１つ以上の収集・充電及び分配装置３０８ａ〜３０８ｄ、車両データ情報管理システム３０２及び別の車両３１０ｂのユーザモバイル装置３１３のそのようなメモリモジュールを含むがこれらに限定されない）。この情報は、図３に示されたシステム３００内の物品の通信システムのいずれかを介してメモリモジュールから間接的に受け取ってもよい。例えば、本明細書に記載された車両３１０ａに関するデータは、その全体が参照により本書に組み込まれる、「APPARATUS, METHOD AND ARTICLE FOR PROVIDING VEHICLE DIAGNOSTIC DATA」と題し２０１２年２月２１日に出願された米国仮特許出願番号６１／６０１，４０４号、及び／又は「APPARATUS, METHOD AND ARTICLE FOR PROVIDING VEHICLE DIAGNOSTIC DATA」と題し２０１２年７月２６日に出願された米国特特許出願番号１３／５５９，３９０号に記載されたような、車両３１０ａの携帯型電気エネルギー貯蔵装置に取り付けられた診断データ記憶システム内のメモリモジュールなどに通信され、記憶され、メモリモジュールから通信されてもよい。幾つかの実施形態では、車両データ情報管理システム３０２、又はその一部分若しくはサブコンポーネントは、図１に示されたバックエンド又はバックオフィスシステム１２０でもよい。他の実施形態では、車両データ情報管理システム３０２は、図１に示されたバックエンド又はバックオフィスシステム１２０の一部分でもよく、そのようなシステム１２０と有効に通信してもよい。
【００６３】
車両データ情報管理システム３０２は、収集・充電及び分配装置３０８ａ、３０８ｂ、３０８ｃ及び３０８ｄ、並びに１つ以上のユーザモバイル通信装置３１３（例として１つだけ示した）と有効に通信し、その結果、車両データ情報管理システム３０２と、収集・充電及び分配装置３０８ａ、３０８ｂ、３０８ｃ及び３０８ｄと、ユーザモバイル通信装置３１３との間でデータが交換されることがある。幾つかの実施形態では、データのそのような交換は、車両によって使用され、収集・充電及び分配装置３０８ａ、３０８ｂ、３０８ｃ及び３０８ｄの１つ以上で交換される携帯型電気エネルギー貯蔵装置に取り付けられたメモリモジュールにそのようなデータを記憶することによって達成されてもよい（図３Ｂを参照）。また、幾つかの実施形態では、追加又は代替として、車両データ情報管理システム３０２、収集・充電及び分配装置３０８ａ、３０８ｂ、３０８ｃ及び３０８ｄ、並びにユーザモバイル通信装置３１３が、互いに直接有効に通信してもよい。
【００６４】
図３Ａの様々な物品とシステムと要素の間のこの通信は、そのような様々な物品、システム及び要素の様々な通信サブシステムによって可能にされる。例えば、この通信は、分配装置３０８ａ、３０８ｂ、３０８ｃ及び３０８ｄ、車両データ情報管理システム３０２、車両３１０ａ及び３１０ｂ、並びにユーザモバイル通信装置３１３の様々な通信サブシステムによって可能にされてもよい。そのような通信サブシステムの１つ以上は、有線及び／又は無線通信（例えば、セルラ、ローカルエリアネットワーク接続、及び／又は有効な通信プロトコル及び／又は規格を使用するかそれに適合する近距離無線接続）を提供してもよい。図３Ａの物品の通信サブシステムは、様々なリモート構成要素又はシステムへの無線信号経路を提供するために１つ以上のポート、無線受信器、無線トランスミッタ又は無線トランシーバを含んでもよい。リモート通信システムは、パケット交換通信プロトコル（ＴＣＰ／ＩＰ）、イーサネット又は他のネットワークプロトコルを含むネットワークトラフィックを処理するのに適した１つ以上のブリッジ又はルータを含んでもよい。
【００６５】
例えば、車両データ情報管理システム３０２は、収集・充電及び分配装置３０８ｃから、車両の車両が関係するイベント（例えば、事故又は衝撃）及び／又は車両の使用履歴に関する更新を、受け取ってもよい。幾つかの実施形態では、車両データ情報管理システム３０２は、そのような情報を得るために、収集・充電及び分配装置、又は図３に示された他の物品を、継続的又は定期的に監視してもよい。また、収集・充電及び分配装置は、車両データ情報管理システム３０２に、車両イベントデータに関する更新を継続的又は定期的に提供してもよい。この情報は、モバイル装置３１３、車両３１０ａ及び／又は車両３１０ｂに、継続的、規則的、不規則的、及び／又はモバイル装置３１３、車両３１０ａ及び／又は車両３１０ｂからのそのような情報の要求に応じて、提供されてもよい。例えば、車両データ情報管理システム３０２又は収集・充電及び分配装置３０８ａによって、モバイル装置３１３及び／又は車両３１０ａが収集・充電及び分配装置３０８ａの近くにあることが検出されたときに、車両３１０ａに関する車両イベントデータが、モバイル装置３１３又は車両３１０ａに提供されてもよい。
【００６６】
車両イベントデータに基づいて、車両が関係するイベント（例えば、事故又は衝撃）に関するアラートが、（例えば、特定のアプリケーション内の通知のような、テキストメッセージ、電子メール、インスタントメッセージ、ソーシャルメディアネットワークの状況更新、自動通話などによって）モバイル装置３１３又は車両３１０ａに送信されてもよい。このアラートは、携帯電話ネットワーク、コンピュータワイファイ（Ｗｉｆｉ）ネットワーク、近距離無線信号など、又はこれらの有効な組み合わせを含むがこれらに限定されない様々な通信チャネルを介して送信されうる。
【００６７】
また、アラートは、車両イベントデータに基づいてイベントが検出された場合に行うことに関する更に詳しい情報を受け取るか、アラートで通信された情報にしたがって違うふうに行動することをユーザが選択しうる選択可能なリンク、アイコン又は他のユーザインタフェース要素を含んでもよい。例えば、緊急サービス、レッカー移動サービス、保険サービス、警察、及び／又は車両若しくは携帯型電気エネルギー貯蔵装置の交換又は修理に関する情報、それらへのリンク、又は連絡先情報が提供されてもよい。この情報又はその情報へのアクセスは、車両データ情報管理システム３０２によって集中的に、かつ／又は収集・充電及び分配装置にローカルに維持されたデータベースに記憶されてもよい。
【００６８】
図３の任意の物品は、そのような操作を、ユーザが特定のユーザ信用証明、パスワード、生体認証データ、ユーザ識別番号又はコードを入力することによって、及び／又は前述のカードリーダ２０８ｅなどによって、車両、モバイル装置、及び／又は収集・充電及び分配装置のユーザインタフェースによって、識別、認証、検証あるいは容易にしうる。また、図３の任意の物品は、追加又は代替として、そのような操作を、ユーザセキュリティトークン（図示せず）、モバイル装置３１３又はユーザと関連した他の物品から受け取った情報によって識別、認証、検証あるいは容易にしうる。車両イベントデータは、車両データに基づく情報を示す１群の選択可能アイコンなどとしてリストに含まれる任意の方法で通信され編成されてもよい。
【００６９】
幾つかの実施形態では、利用可能な携帯型電気エネルギー貯蔵装置に関する様々な選択肢と特徴が、ユーザによって生成され利用可能にされてもよい。例えば、特定のユーザ、特定の車両及び／又は特定の携帯型電気エネルギー貯蔵装置の安全記録が、車両データ情報管理システム３０２によって収集された対応する車両イベントデータに基づいて決定され、記憶されかつ／又は通信されてもよい。イベントの通信とイベントのタイプは、更なる分析のために複数の車両（例えば、スクータ３１０ａ及び３１０ｂ）から車両データ情報管理システム３０２によってログ記録され自動的に収集されて、様々な潜在的なシステム全体の安全問題を決定し、個々のユーザごと若しくは個々の車両ごと又は個々の携帯型電気エネルギー貯蔵装置ごとのイベント履歴が追跡されてもよい。イベント履歴、統計及び関連アラートは、ユーザ（例えば、モバイル装置３１０ａ）に無線で通信され、ユーザのモバイル装置及び／又はスクータダッシュディスプレイ（例えば、スクータ３１０ａのダッシュディスプレイ）に表示されてもよい。同じ情報は、収集・充電及び分配装置（例えば、収集・充電及び分配装置３０８ａ）に無線で通信され、収集・充電及び分配装置ディスプレイに表示されてもよい。そのような情報は、イベントデータを記憶する携帯型電気エネルギー貯蔵装置に取り付けられたメモリ装置を介して、オンラインの収集・充電及び分配装置（例えば、収集・充電及び分配装置３０８ａ）における携帯型電気エネルギー貯蔵装置交換プロセスによって伝達されてもよい（例えば、図３Ｂを参照）。
【００７０】
図３Ｂは、１つの非限定的な示された実施形態による、図１の携帯型電気エネルギー貯蔵装置１０６ｚのブロック図である。
【００７１】
携帯型電気エネルギー貯蔵装置ハウジング３２０、電気端子１１０ａ，１１０ｂ、電池３０４、イベントデータ記憶システム３０６、セキュアアクセスパネル３１４、及びイベントデータ記憶システム接続ポート３１８が示される。電池３０４は、貯蔵された化学エネルギーを電気エネルギーに変換する任意の再充電可能タイプの電気化学電池である。前述したように、電気端子１１０ａ，１１０ｂは、携帯型電気エネルギー貯蔵装置１０６ｚの外部からアクセス可能である。電気端子１１０は、電池３０４への導電端子接続３１２ａ及び３１２ｂを介して携帯型電気エネルギー貯蔵装置１０６ｚを充電又は放電するために、携帯型電気エネルギー貯蔵装置１０６ｚから電荷を送出することを可能にし、携帯型電気エネルギー貯蔵装置１０６ｚに電荷を送出することを可能にする。図３Ｂに柱として示されているが、電気端子１１０ａと１１０ｂは、バッテリハウジング３２０のスロット内に位置決めされた電気端子を含む携帯型電気エネルギー貯蔵装置１０６ｚの外部からアクセス可能な任意の他の形態をとってもよい。
【００７２】
イベントデータ記憶システム３０６は、ハウジング３２０の内側に直接又は間接的に（固定式又は取り外し式に）取り付けられ、通信回線３１６を介してイベントデータ記憶システム接続ポート３１８に機能的に結合され、通信回線３１６は、ハウジング３２０内を、携帯型電気エネルギー貯蔵装置１０６ｚの外部からアクセス可能なシステム接続ポート３１８まで通る。通信回線３１６は、イベントデータ記憶システム接続ポート３１８を介して外部ソース（例えば、車両イベント検出システム）から車両イベントデータを受け取り、そのようなデータをイベントデータ記憶システム３０６に記憶するためにイベントデータ記憶システム３０６に通信するように構成される。例えば、通信回線３１６は、携帯型電気エネルギー貯蔵装置１０６ｚが車両に動作可能に取り付けられている間に車両から車両イベントデータを受け取るように構成される。他の実施形態では、通信回線３１６は、携帯型電気エネルギー貯蔵装置１０６ｚが車両内に機能的に取り付けられていないときに車両から車両イベントデータを受け取るように構成される。例えば、携帯型電気エネルギー貯蔵装置１０６ｚの電気端子１１０が、車両に機能的に接続されていないとき（携帯型電気エネルギー貯蔵装置１０６ｚが、取り付けられるか取り外されるプロセスにあるか、車両に電力供給するためではなく車両イベントデータをダウンロードするために一時的に車両内に配置されているときのような）、携帯型電気エネルギー貯蔵装置１０６ｚは、通信回線３１６を介して車両のイベント検出システムに接続され、車両からイベントデータを受け取りうる。
【００７３】
そのようなイベントデータには、車両が関係する事故、車両が関係する緊急事態、車両の破損、車両の破局故障、傾斜センサからの信号、重力センサからの信号、加速度計からの信号、衝撃センサからの信号、車両又は車両構成要素の温度、車両のバッテリの温度、車両のモータの温度、車両の電子部品の温度、温度センサからのデータ、信号又は情報、バッテリ温度センサからのデータ、信号又は情報、危険温度レベル、１つ以上のしきい値温度より高いか低い温度レベル、危険運転挙動、及び１つ以上の運転挙動タイプの１つ以上に関する情報が含まれるがこれらに限定されない。
【００７４】
イベントデータ記憶システム接続ポート３１８は、車両イベント検出システム、携帯型電気エネルギー貯蔵装置１０６ｚのイベント検出システム、車両及び／又は携帯型電気エネルギー貯蔵装置１０６ｚのセンサ（例えば、傾斜センサ、重力センサ、加速度計、衝撃センサなど）に機能的に接続されてもよく、特定の対応する車両サブシステムに関するイベントデータを出力するように構成された任意数の車両サブシステムに機能的に接続されるように構成されてもよい。イベントデータ記憶システム接続ポート３１８は、それぞれの車両イベント検出システム又はこのシステムが接続された車両サブシステムの１つ以上の出力ポートと適合するように構成される。幾つかの実施形態では、イベントデータ記憶システム接続ポート３１８は、携帯型電気エネルギー貯蔵装置１０６ｚが車両内に機能的に配置されるか取り付けられるように、車両イベント検出システム（例えば、図４に示された車両イベント検出システム４１８）に機能的に結合される。例えば、イベントデータ記憶システム接続ポート３１８は、携帯型電気エネルギー貯蔵装置１０６ｚが車両内に適切に配置又は取り付けられたときに、車両イベント検出システム４１８（図４に示された）の対応する出力ポートと適合し接続するように、携帯型電気エネルギー貯蔵装置１０６ｚのハウジング３２０の外側に位置決めされてもよい。また、通信回線３１６は、車両イベントデータを、イベントデータ記憶システム３０６からイベントデータ記憶システム接続ポート３１８を介して、外部ソース（例えば、携帯型電気エネルギー貯蔵装置、収集・充電及び分配装置１０２、モバイル装置、サーバなど）に送るように構成される。
【００７５】
イベントデータ記憶システム３０６は、イベントデータ記憶システム３０６が、車両イベントデータを記憶するイベントデータ記憶システム３０６を動作させるための電力を受け取るように、１本以上の電力線３２２によってバッテリセル３０４に機能的に結合される。他の実施形態では、イベントデータ記憶システム３０６は、他の外部電源から電力を受け取ってもよく、イベントデータを記憶するためにそれ自体の電力を必要としないシステムでもよい。
【００７６】
アクセスパネル３１４は、ハウジング３２０上に配置され、イベントデータ記憶システム３０６及び／又はイベントデータ記憶システム３０６の任意の構成要素の検査、診断、交換及び／又は修理のためにイベントデータ記憶システム３０６にアクセスを提供するように構成される。アクセスパネル３１４は、また、イベントデータ記憶システム３０６へのアクセスを制限するために、ロック機構を含んでもよく、改ざん防止策を有してもよく、他のセキュリティ要素を含んでもよい。アクセスパネル３１４は、また、イベントデータ記憶システム３０６を外部要素から保護するためにシールや他の保護構成要素などの耐候性構成要素を含んでもよい。他の実施形態では、その代りに、イベントデータ記憶システム３０６は、ハウジング３２０の外部に固定式又は取り外し式に取り付けられてもよい。そのような例では、通信線は、ハウジング３２０内を通らない。しかしながら、そのような実施形態では、バッテリセル３０４への電力線３２２（存在する場合）が、ハウジング３２０内を通ることになる。
【００７７】
幾つかの実施形態では、イベントデータ記憶システム３０６は、車両イベントデータを外部装置との間で無線で送受信するように構成される。例えば、イベントデータ記憶システム３０６は、車両又は外部イベント検出システムから車両イベントデータを無線で受信し、かつ／又は記憶された車両イベントデータを、携帯型電気エネルギー貯蔵装置収集・充電及び分配装置１０２、又はポータブルコンピュータやスマートフォンなどの他のリモート装置に無線で送信するように構成されてもよい。そのような実施形態では、イベントデータ記憶システム３０６が、通信回線３１６とイベントデータ記憶システム接続ポート３１８を介して車両イベントデータを送受信するように構成される代わり又はその追加として車両イベントデータを無線で送受信するように構成されてもよいので、通信回線３１６とイベントデータ記憶システム接続ポート３１８は、提示されてもされなくてもよい。
【００７８】
ハウジング３２０は、バッテリセル３０４とイベントデータ記憶システム３０６を外部要素及び改ざんから守るために十分な厚さの高分子又は他の耐久性材料から造られる。例えば、ハウジングの壁は、厚さが少なくとも約０．２５インチで、バッテリセル３０４とイベントデータ記憶システム３０６を完全に取り囲んでもよく（幾つかの実施形態では、ハウジングの小さい通気穴を除き）、その結果、バッテリセル３０４とイベントデータ記憶システム３０６に鍵や他の専用ツールなしにアクセスして、ロックされたアクセスパネル３１４を開けることができない。
【００７９】
ハウジング３２０は、改ざんを防止又は阻止する保護を提供し、適切に強く弾性の材料（例えばＡＢＳプラスチック）から形成されてもよい。そのようなハウジングは、改変を防止又は阻止するだけでなく、改変の試みの視覚的指示を残してもよい。例えば、ハウジング３２０は、第２色（例えば、蛍光オレンジ）の内側層内のその上に第１色（例えば、黒）の強靱な外側層を有する。そのような層は、ハウジング３２０を切削する試みを視覚的に明らかにする。
【００８０】
図４Ａは、１つの非限定的な示された実施形態による、車両イベント検出システム４１８に結合された図３Ｂのイベントデータ記憶システム３０６の概略図である。
【００８１】
イベントデータ記憶システム３０６は、コントローラ４１０、通信サブシステム４０６、読み出し専用メモリ（ＲＯＭ）４１２、ランダムアクセスメモリ（ＲＡＭ）４１４、及び他の記憶機構４１６を含む。
【００８２】
例えば、コントローラ４１０は、マイクロプロセッサ、マイクロコントローラ、プログラマブルロジックコントローラ（ＰＬＣ）、プログラマブルゲートアレイ（ＰＧＡ）、特定用途向け集積回路（ＡＳＩＣ）、又は様々なセンサから信号を受信し、論理演算を実行し、信号を様々な構成要素に送信可能な別のコントローラを含む。典型的には、コントローラ４１０は、マイクロプロセッサ（例えば、ＩＮＴＥＬ、ＡＭＤ、ＡＴＯＭ）の形態をとってもよい。イベントデータ記憶システム３０６は、また、１つ以上の非一時的プロセッサ又はコンピュータ可読記憶媒体、例えば、読み出し専用メモリ（ＲＯＭ）４１２、ランダムアクセスメモリ（ＲＡＭ）４１４、及び他の記憶機構４１６（例えば、フラッシュメモリやＥＥＰＲＯＭなどのソリッドステート記憶媒体、ハードディスクなどの回転記憶媒体）を含んでもよい。非一時的プロセッサ又はコンピュータ可読記憶媒体４１２、４１４、４１６は、コントローラ４１０の一部である任意の非一時的記憶媒体（例えば、レジスタ）に追加されてもよい。例えば、イベントデータ記憶システム３０６は、様々な構成要素を結合する１つ以上のバス４１９（１つだけ示した）、例えば、１つ以上の電力バス、命令バス、データバスなどを含んでもよい。
【００８３】
図示されたように、ＲＯＭ４１２、又は非一時的プロセッサ若しくはコンピュータ可読記憶媒体４１２、４１４、４１６の幾つかの他のものは、命令及び／あるいは変数又はパラメータのデータ又は値を記憶する。データセットは、様々な形態（例えば、ルックアップ表、データベース内の１組のレコードなど）を取ってもよい。命令とデータ又は値のセットとは、コントローラ４１０によって実行可能である。命令とデータ又は値のセットとの実行により、コントローラ４１０は、イベントデータ記憶システム３０６に車両イベント検出システムから受信したデータなどの車両イベントデータを受信させ、記憶させ、送信させる特定の操作を行なう。イベントデータは、ＲＯＭ４１２、ＲＡＭ４１４及び他の記憶機構４１６の１つ以上に、ルックアップ表、データベース内の１組のレコードなどを含むがそれらに限定されない様々な形態及び形式で記憶されてもよい。イベントデータは、ある一定の形式で記憶されるか、車両イベントデータの標準形式に応じた形式又は様々な外部装置によって適合可能又は読取り可能な他の形式に変換されその形式で記憶されてもよい。イベントデータを含む情報は、最初に最大忠実度で記憶され、次にメモリスペースが少なくなるにつれて徐々に圧縮されてもよい。幾つかの実施形態では、診断上、車両イベントデータ情報管理システム３０２、又はバックエンド若しくはバックオフィスシステム１２０を使用するような他のサービスセンターは、特定間隔の詳細なデータ収集を必要とすることがある。例えば、車両イベントデータ情報管理システム３０２は、特定バッチのモータに、過度な振動を引き起こす製造欠陥ができた可能性があることを、ある時間後に知る可能性がある。車両イベントデータ情報管理システム３０２は、そのようなモータを特定の車両に対してトレースし、それらの車両の加速度計に、その特定の車両がこの早期摩耗メカニズムを受けていたかどうかを決定するのに適切なレートでデータを収集するよう要求する。車両イベントデータ情報管理システム３０２は、インフィールド診断を支援するために選択可能なパラメータ（サンプリングレートなど）と共に車両による特定タイプのデータの収集を要求できる。代替として、政府が、そのようなメカニズムを使用して道路品質に関する情報を要求してもよい。
【００８４】
また、イベントデータと関係した様々なメタデータは、特定の車両、携帯型電気エネルギー貯蔵装置及び／又はユーザとイベントデータの関連又は関連の指示、特定のイベントデータと関連付けられた日付及び時間情報、イベントデータと関連付けられた車両情報、イベントデータのカテゴリ又はタイプ、イベントデータに基づいた交換を必要とする部品と関連付けられた車両部品情報などを含むがこれに限定されないＲＯＭ４１２や他の記憶機構４１６の１つ以上に記憶されてもよい。イベントデータ記憶システム３０６の特定の操作が、本明細書に様々な流れ図（図５〜図７）に関連して後述される。
【００８５】
コントローラ４１０は、命令やデータなどの非持久記憶のためにＲＡＭ４１４を従来の方法で使用してもよい。コントローラ４１０は、データストア４１６を使用して、車両イベントデータ、ユーザの経路情報に関する情報、履歴データなどをログ記録又は保持してもよい。命令は、車両イベント検出システム４１８、充電装置、車両、ユーザ識別装置（カード、電子キーなど）、携帯型電気エネルギー装置の収集・充電及び分配装置、収集・充電及び分配装置サービスシステム、ユーザモバイル装置、ユーザ車両、並びにエンドユーザ又はオペレータ入力を含むがこれに限定されない外部装置などのリモート及び／又は外部システムからの入力に応じてイベントデータ記憶システム３０６の動作を制御するコントローラ４１０によって実行可能である。
【００８６】
コントローラ４１０は、また、収集・充電及び分配装置１０２の通信サブシステム２０６を介して外部装置の様々なセンサ及び／又は構成要素から信号を受け取ってもよい。この情報は、そのような構成要素の信憑性、許可レベル、動作、状況又は状態を特徴付けるか又は示す情報を含んでもよい。
【００８７】
通信サブシステム４０６は、外部装置の様々な構成要素（例えば、車両イベント検出システム４１８からの車両イベントデータを受信するためなどに）との通信と、また図１の収集・充電及び分配装置１０２の様々な構成要素（例えば、車両イベントデータを送信するためなどに）及び１つ以上のユーザモバイル通信装置との通信を容易にする１つ以上の通信モジュール又は構成要素を含んでもよく、その結果、データが、認証のために装置間で交換されうる。そのようなイベントデータ、ソフトウェア更新、ユーザプロファイル及び／又は車両プロファイル情報のデータ更新は、外部装置又はシステム（例えば、ユーザのモバイル装置）から、あるいは収集・充電及び分配装置、収集、充電及び分散装置管理システム、その他のネットワークノード又は場所などの他の外部システムから（直接又は間接に）受け取るかこれらによって生成された情報を含んでもよい。これらの命令及び／又は他のデータは、対応する電気エネルギー貯蔵装置が、通信サブシステム４０６を介して車両と通信可能な状態にされるか通信している（又は、通信状態になる地点にある）ときに、車両イベント検出システム又は他の車両システムによって自動的に車両の設定を調整するか車両に対する他の修正を行うために使用されうる情報を含んでもよい。
【００８８】
通信サブシステム４０６は、有線及び／又は無線通信を提供してもよい。通信サブシステム４０６は、様々なリモート構成要素又はシステムへの無線信号経路を提供するために１つ以上のポート、無線受信器、無線トランスミッタ又は無線トランシーバを含んでもよい。通信サブシステム４０６は、例えば、短距離（例えば、Ｂｌｕｅｔｏｏｔｈ、近距離無線通信（ＮＦＣ）、無線周波数識別（ＲＦＩＤ）構成要素及びプロトコル）又はより長距離の無線通信（例えば、無線ＬＡＮ、衛星、又はセルラーネットワークを介した）を可能にする構成要素を含んでもよく、また１つ以上のモデム又は１つ以上のイーサネット又は、通信を行うための他のタイプの通信カード又は構成要素を含んでもよい。有線通信の場合、１つの例示的実施形態は、車両３１０ａの電力線を介して情報を多重化し通信するように構成された通信サブシステム４０６を含んでもよい。有線通信を含む幾つかの実施形態では、有線通信のための物理層伝送は、米国自動車技術会（ＳＡＥ）Ｊ２９３１／３仕様（即ち、Ｊ２９３１／３規格）にしたがって又は基づいて実現されてもよい。Ｊ２９３１／３仕様は、一般に、充電ケーブルを介した電気車両から自動車充電装置などのサービス機器への通信を可能にするものである。１つの例示的実施形態では、Ｊ２９３１／３規格又は他の適切な規格は、新しい配線を追加することなくモバイル装置が充電のために車両に差し込まれたときに、携帯型電気エネルギー貯蔵装置１０６ｚの車両イベントデータ記憶システム３０６から車両３１０ａ及び／又はモバイル装置３１３のダッシュボードディスプレイへの情報の通信に適用されてもよい。通信サブシステム４０６は、パケット交換通信プロトコル（ＴＣＰ／ＩＰ）、イーサネット又は他のネットワークプロトコルを含むネットワークトラフィックを処理するのに適した１つ以上のブリッジ又はルータに対する接続を含んでもよい。
【００８９】
コントローラ４１０は、車両イベント検出システム４１８が関連付けられた車両及び／又はユーザに関する情報を受信し、受信したイベントデータをそれに応じて記憶するように構成されてもよい。例えば、様々な特定の車両のイベントデータは、プロセッサによってＲＯＭ４１２に記憶され、ＲＯＭ４１２に記憶されたメタデータで対応する車両と関連付けられてもよい。コントローラ４１０は、様々な外部装置からイベントデータの要求を受け取り、それに応じて、そのような要求されたデータを提供するか、又はそのデータが利用できないことを示すように構成されてもよい。幾つかの実施形態では、コントローラ４１０は、記憶された車両イベントデータを管理し特定の要求された車両イベントデータを識別し取得するために、調査、編集、ソート、削除及び他のデータベース機能を実行するように構成されてもよい。
【００９０】
コントローラ４１０は、様々な外部装置を識別又は認証した後で、外部装置から受け取ったコード、信用証明又は他の情報を検証することによってそのような車両イベントデータを提供するように構成されてもよい。幾つかの実施形態では、コントローラ及び／又は通信サブシステム４０６は、イベントデータ記憶システム３０６と外部装置との間（例えば、イベントデータ記憶システム３０６と、携帯型電気エネルギー貯蔵装置の収集・充電及び分配装置１０２又はユーザモバイル装置との間）で通信される情報を暗号化及び／又は復号化するように構成される。幾つかの実施形態では、車両イベントデータ記憶システム３０６は、必要に応じて、キーを維持し、情報を暗号化し、セキュアハッシング関数を提供できるコントローラ４１０に機能的に結合された暗号化ハードウェアを含んでもよい。例えば、暗号化ハードウェアは、必要に応じて、データを他のエンティティ又はそれ自体からの公開鍵で暗号化しかつ／又は符号化できる。暗号化ハードウェアは、キーを改ざんできないようにセキュアに記憶してもよい。これにより、機密データは、収集・充電及び分配装置３０８ａ〜３０８ｃのいずれかに入れられたとき、例えば携帯型電気エネルギー貯蔵装置１０６ｚを介して、車両３１０ａと収集・充電及び分配装置３０８ａ〜３０８ｃのいずれかとの間でセキュアに移動されうる。このように、機密データは、許可されない限り外部エンティティによる修正も検査も受けない。これにより、例えば、車両イベントデータ情報システム３０２などのリモートサーバや他のリモートサーバが、その秘密鍵と車両３１０ａの公開鍵を使用して、付加価値サービスに対する契約及びアクセスと関連した機密情報を含む可能性のある車両３１０ａの構成を変更できる。
【００９１】
幾つかの実施形態では、図４Ａに示されたイベントデータ記憶システム３０６の構成要素の幾つかは、存在しなくてもよく、イベントデータ記憶システム３０６の外部にあってもよい。例えば、幾つかの実施形態では、イベントデータ記憶システム３０６は、車両イベントデータを記憶するように構成されたＲＯＭ４１２などのメモリ装置を含んでもよく、図４Ａに示された他の構成要素（例えば、コントローラ４１０と通信サブシステム４０６）は、存在しなくてもよく、イベントデータ記憶システム３０６の外部にあってもよい（例えば、代わりに車両イベント検出システム４１８の一部である）。
【００９２】
車両イベント検出システム４１８は、車両及び／又は携帯型電気エネルギー貯蔵装置の１つ以上のイベント検出システムでもよく、車両イベントデータを追跡しかつ／又は記憶し通信するように構成される。車両イベント検出システム４１８は、傾斜センサ、重力センサ、加速度計、衝撃センサなどの１つ以上を含むがこれらに限定されない車両及び／又は携帯型電気エネルギー貯蔵装置に関係するイベントを検出する１つ以上のセンサを含んでもよい。そのようなイベントデータには、車両が関係する事故、車両が関係する緊急事態、車両の破損、車両の破局故障、傾斜センサからの信号、重力センサからの信号、加速度計からの信号、衝撃センサからの信号、車両又は車両構成要素の温度、車両のバッテリの温度、車両のモータの温度、車両の電子部品の温度、温度センサからのデータ、信号又は情報、バッテリ温度センサからのデータ、信号又は情報、危険温度レベル、１つ以上のしきい値温度より高いか低い温度レベル、危険運転挙動、及び１つ以上の運転挙動タイプの１つ以上に関する情報が含まれるがこれらに限定されない。
【００９３】
電力線３２２は、コントローラ４１０、通信サブシステム４０６、読み出し専用メモリ（ＲＯＭ）４１２、ランダムアクセスメモリ（ＲＡＭ）４１４及び他の記憶機構４１６を含むイベントデータ記憶システムの様々な構成要素の１つ以上を動作させるための電力を提供するように構成される。例えば、電力線３２２は、携帯型電気エネルギー貯蔵装置１０６ｚのバッテリセル３０４（図３Ｂに示されたような）及び／又は車両内に配置された別の電源などの電源に機能的に結合されてもよい。
【００９４】
図４Ｂは、１つの非限定的な示された実施形態による、図３Ｂと図４Ａのイベントデータ記憶システム３０６から受け取った車両イベントデータに関する、ユーザインタフェース画面４２０に表示された例示的な情報の説明図である。
【００９５】
例えば、図４Ｂに示された情報は、ユーザが、携帯型電気エネルギー貯蔵装置１０６ｚを携帯型電気エネルギー貯蔵装置の収集・充電及び分配装置１０２に入れた後で、ユーザのモバイル装置３１０ａのユーザインタフェース画面、ユーザの車両（例えば、車両３１０ａ）の車両ダッシュボードディスプレイ及び／又は携帯型電気エネルギー貯蔵装置の収集・充電及び分配装置１０２のディスプレイに表示されてもよい。一実施形態では、ユーザが、携帯型電気エネルギー貯蔵装置１０６ｚを、携帯型電気エネルギー貯蔵装置の収集・充電及び分配装置１０２に入れた後で、携帯型電気エネルギー貯蔵装置の収集・充電及び分配装置１０２と、携帯型電気エネルギー貯蔵装置１０６ｚとの間で接続が確立される（無線及び／又はイベントデータ記憶システム接続ポート３１８を介して）。次に、携帯型電気エネルギー貯蔵装置の収集・充電及び分配装置１０２は、携帯型電気エネルギー貯蔵装置１０６ｚのイベントデータ記憶システム３０６に記憶された車両イベントデータを読み出し、イベントデータに関する情報をユーザに提供する。図４Ｂは、携帯型電気エネルギー貯蔵装置１０６ｚのイベントデータ記憶システム３０６から読み取ったイベントデータに関するそのような情報を提供する一例を示す。例えば、図４Ｂに、検出されたイベントに関するレポートと、ユーザが負傷していないことの確認と、ユーザに提供する更に詳しい情報を評価するための車両状態に関する一連のプロンプト４２６を表示する車両イベントレポートを示す。この情報は、車両加速度計から読み取った、衝撃が起きたことを示すイベントデータに基づいて提供される。検出された衝撃の程度又は深刻さに基づいて、異なるか追加の情報が表示されてもよい。提供されうる追加の関連情報には、識別された潜在的問題を解決するのに役立つことがある情報、識別された問題の解決に関する操作情報、交換車両部品を探すための場所の位置情報、緊急サービス連絡先情報、緊急派遣サービス情報、緊急サービスが到着するまでの残り時間などを含むがこれらに限定されない。また、ユーザが情報を見たことを確認し、引き続き次の画面に進むか終了することをユーザが選択できる選択可能なボタン又はアイコン４２８も示される。
【００９６】
図４Ｂに示された情報は、携帯型電気エネルギー貯蔵装置の収集・充電及び分配装置１０２の画面に表示されてもよく、携帯型電気エネルギー貯蔵装置の収集・充電及び分配装置１０２にある携帯型電気エネルギー貯蔵装置１０６ｚのユーザによる交換又は返却プロセスの一部として又はそれらと関係なく違うふうに伝達されてもよい。例えば、幾つかの実施形態（車両イベントデータが、イベントデータ記憶システム３０６から携帯型電気エネルギー貯蔵装置の収集・充電及び分配装置１０２に無線で通信される実施形態など）では、ユーザが、携帯型電気エネルギー貯蔵装置の収集・充電及び分配装置１０２で停止して、車両から携帯型電気エネルギー貯蔵装置１０６ｚを交換したり、降ろしたり、更には取り外したりすることなく、イベントデータ記憶システム３０６に記憶された車両イベントデータに関する情報を取得することによって、車両の状況又は状態を確認するだけでもよい。
【００９７】
幾つかの実施形態では、図４Ｂに示された情報は、携帯型電気エネルギー貯蔵装置１０６ｚを現在使用している（又は、以前に使用した）車両と関連付けられたユーザのモバイル装置のユーザインタフェース画面４２０に表示されてもよい。例えば、イベントデータ記憶システム３０６の無線通信範囲内で、イベントデータ記憶システム３０６は、無線モバイル装置を認証し、記憶された車両イベントデータを、モバイル装置に、自動的に又はモバイル装置からの車両イベントデータの要求時にプッシュしてもよい。イベントデータ記憶システム３０６は、また、モバイル装置と関連付けられたユーザを、車両及び／又はイベントデータ記憶システム３０６と関連付けられたユーザであると認証してもよい。例えば、携帯型電気エネルギー貯蔵装置の収集・充電及び分配装置１０２によって識別されたユーザが、イベントデータ記憶システム３０６を有する携帯型電気エネルギー貯蔵装置１０６ｚを、携帯型電気エネルギー貯蔵装置の収集・充電及び分配装置１０２から取り出したとき、ユーザと車両及び／又はベントデータ記憶システム３０６との関連に関するそのような認証情報が、携帯型電気エネルギー貯蔵装置の収集・充電及び分配装置１０２からイベントデータ記憶システム３０６に通信されてもよい。
【００９８】
携帯型電気エネルギー貯蔵装置の収集・充電及び分配装置１０２において携帯型電気エネルギー貯蔵装置１０６ｚをユーザが返却又は交換するプロセスで、携帯型電気エネルギー貯蔵装置１０６ｚが、携帯型電気エネルギー貯蔵装置の収集・充電及び分配装置１０２に入れられ、車両イベントデータに関する情報が、ユーザに提供されるか他の方法で利用された後、携帯型電気エネルギー貯蔵装置の収集・充電及び分配装置１０２は、イベントデータ記憶システム３０６からの車両イベントデータの削除を行うか、記憶された車両識別データを上書きできるようにしてもよい（例えば、携帯型電気エネルギー貯蔵装置１０６ｚが使用される他の車両の車両イベントデータを記憶する場所を空けるため）。幾つかの実施形態では、現在記憶されている車両イベントデータは、車両イベント検出システム４１８へのイベントデータ記憶システム３０６の再接続時、又はイベントデータ記憶システム３０６に現在記憶されている車両イベントデータと関連付けられた車両と異なる車両への接続時に、削除されるか、又はイベントデータ記憶システム３０６又は車両イベント検出システム４１８によって上書きできるようにされてもよい。
【００９９】
図５は、１つの非限定的な示された実施形態による、図３と図４Ａの車両イベントデータを提供するシステムを動作させる方法５００を示す流れ図である。
【０１００】
５０２で、車両イベントデータを提供するシステムが、車両に関するイベントデータを受け取る。
【０１０１】
５０４で、車両イベントデータを提供するシステムが、イベントデータの少なくとも幾つかをメモリ装置に記憶する。
【０１０２】
５０６で、車両イベントデータを提供するシステムが、イベントデータの少なくとも幾つかを装置に表示するために通信する。
【０１０３】
図６は、図５の方法に有効なデータを外部装置に提供することを可能にすることを含む、１つの非限定的な示された実施形態による、図３Ａの車両イベントデータ情報管理システムを動作させる方法６００を示す流れ図である。
【０１０４】
６０２で、車両イベントデータ情報管理システムは、１台以上の車両に関する１日より長い時間期間にわたる車両イベントデータを電子的に受け取る。
【０１０５】
６０４で、車両イベントデータ情報管理システムは、受け取ったイベントデータによって示される複数のイベントのそれぞれのイベントと関連付けられた特定の車両、特定のユーザ及び特定の携帯型電気エネルギー貯蔵装置を識別する。
【０１０６】
６０６で、車両イベントデータ情報管理システムは、特定の車両、特定のユーザ及び特定の携帯型電気エネルギー貯蔵装置のうちの要求された１つに関する情報の要求を電子的に受け取る。
【０１０７】
６０８で、車両イベントデータ情報管理システムは、その要求に応じて、特定の車両、特定のユーザ及び特定の携帯型電気エネルギー貯蔵装置のうちの要求された１つと関連付けられた受け取ったイベントデータによって示される複数のイベントのそれぞれのイベントを電子的に提供する。
【０１０８】
図７は、１つの非限定的な示された実施形態による、電気車両内の携帯型電気エネルギー貯蔵装置に対する衝撃を示すセンサから受け取ったイベントデータを通信する方法７００を示す流れ図である。
【０１０９】
７０２で、車両イベントデータを提供するシステムは、電気車両内の携帯型電気エネルギー貯蔵装置に対する衝撃を示すセンサからイベントデータを受け取る。
【０１１０】
７０４で、車両イベントデータを提供するシステムは、イベントデータの少なくとも幾つかを、携帯型電気エネルギー貯蔵装置のメモリ装置と車両のメモリ装置の１つ以上に記憶する。
【０１１１】
７０６で、車両イベントデータを提供するシステムが、イベントデータの少なくとも幾つかを装置に表示するために通信する。
【０１１２】
以上の詳細な説明は、ブロック図、概略図及び例を使用して装置及び／又は方法の様々な実施形態を示す。そのようなブロック図、概略図及び例が、１つ以上の機能及び／又は操作を含む限り、そのようなブロック図、フローチャート又は例に含まれる各機能及び／又は操作は、広範囲のハードウェア、ソフトウェア、ファームウェア又はこれらの実質的に任意の組み合わせによって、個々にかつ／又は集合的に実施されうることを当業者は理解されよう。一実施形態では、この内容は、１つ以上のマイクロコントローラによって実現されてもよい。しかしながら、当業者は、本明細書に開示された実施形態は、全体的又は部分的に、１つ以上のコンピュータによって実行される１つ以上のコンピュータプログラムとして（例えば、１つ以上のコンピュータシステム上で動作する１つ以上のプログラムとして）、１つ以上のコントローラ（例えば、マイクロコントローラ）によって実行される１つ以上のプログラムとして、１つ以上のプロセッサ（例えば、マイクロプロセッサ）によって実行される１つ以上のプログラムとして、ファームウェアとして、又はこれらの実質的に任意の組み合わせとして、標準集積回路（例えば、特定用途向け集積回路又はＡＳＩＣ）で等価に実施されうること、また、ソフトウェア及び／又はファームウェアのための回路の設計及び／又はコードの記述が、この開示の教示を考慮する当業者の能力の範囲内にあることを理解するであろう。
【０１１３】
ロジックが、ソフトウェアとして実現されメモリに記憶されるとき、ロジック又は情報は、任意のプロセッサ関連システム又は方法によって又はそれらのシステム又は方法と関連して使用される任意の非一時的コンピュータ可読媒体上に記憶されうる。この開示の分脈では、メモリとは、コンピュータ及び／又はプロセッサプログラムを非一時的に収容又は記憶する電子、磁気、光学又は他の物理装置若しくは手段である非一時的コンピュータ又はプロセッサ可読記憶媒体である。ロジック及び／又は情報は、命令実行システム、機器又は装置から命令をフェッチし、ロジック及び／又は情報と関連付けられた命令を実行できるコンピュータシステム、プロセッサ内蔵システム又は他のシステムなどの命令実行システム、機器又は装置によって使用されるかそれらと接続する任意のコンピュータ可読媒体に実装されてもよい。
【０１１４】
この明細書の分脈では、「コンピュータ可読媒体」は、命令実行システム、機器及び／又は装置によって使用されるかそれらと接続する、ロジック及び／又は情報と関連付けられたプログラムを記憶可能な任意の物理要素でよい。コンピュータ可読媒体は、例えば、電子、磁気、光学、電磁気、赤外線又は半導体システム、機器又は装置でよいが、これらに限定されない。コンピュータ可読媒体のより特定の例（非網羅的リスト）には、携帯型コンピュータディスケット（磁気、コンパクトフラッシュカード、セキュアデジタルなど）、ランダムアクセスメモリ（ＲＡＭ）、読み出し専用メモリ（ＲＯＭ）、消去可能プログラム可能な読取り専用メモリ（ＥＰＲＯＭ、ＥＥＰＲＯＭ又はフラッシュメモリ）、携帯型コンパクトディスク読取り専用メモリ（ＣＤＲＯＭ）、及びデジタルテープがある。
【０１１５】
実施形態の態様は、必要に応じて、様々な特許、出願及び公開のシステム、回路及び概念を使用して更に他の実施形態を提供するように修正されうる。完全電気スクータ及び／又はモータバイクなどの個人用輸送車両と共に使用するための携帯型電気エネルギー貯蔵装置の収集、充電及び分配の環境と状況で一般的に考察したたが、本明細書の教示は、他の車両並びに非車両環境を含む種々様々な他の環境にも適用されうる。
【０１１６】
開示の要約に記載された説明を含む図示された実施形態の以上の説明は、網羅的なものでもなく、実施形態を開示された厳密な形態に制限するものでもない。本明細書では説明のために特定の実施形態及び例について述べたが、開示の趣旨及び範囲から逸脱せずに様々な等価な修正を行えることを当業者は理解されよう。
【０１１７】
これら及び他の変更は、以上の詳細な説明を考慮して実施形態に行なわれうる。一般に、以下の特許請求の範囲において、使用される用語は、特許請求の範囲を明細書と特許請求の範囲に開示された特定の実施形態に限定するように解釈されるべきでなく、そのような特許請求の範囲に与えられる等価物の範囲と共に全ての可能な実施形態を含むように解釈されるべきである。したがって、特許請求の範囲は、開示によって限定されない。
【符号の説明】
【０１１８】
１０２  収集・充電及び分配装置
１０６  携帯型電気エネルギー貯蔵装置
１０８  完全電気スクータ及びモータバイク
１１０  電気端子
１１２  場所
１１４  電気設備
１１６  送電網
１１８  光起電力電池
１２０  バックエンド又はバックオフィスシステム
１２２  ネットワーク
１２４  ユーザインタフェース
【図１】
0006446045.tif 000002
【図２】
0006446045.tif 000003
【図３Ａ】
0006446045.tif 000004
【図３Ｂ】
0006446045.tif 000005
【図４Ａ】
0006446045.tif 000006
【図４Ｂ】
0006446045.tif 000007
【図５】
0006446045.tif 000008
【図６】
0006446045.tif 000009
【図７】
0006446045.tif 000010